(57)【要約】【課題】  運動者の首部・背柱の姿勢を牽引することを繰り返し行い、首筋の張り・肩凝り・背筋の張りなどをやわらげる多目的運動器具を提供する。【解決手段】  可動フレ−ム１ｂを頭部へ配置し運動者５が仰向けになって寝た状態で背中に固定フレ−ム１ａを置き、握り部６を掴み可動軸２を支点とした可動フレーム１ｂを腹部に引く・押すの牽引動作を行なえば首部・背柱等が伸ばされ適度な圧迫感が得られる。この運動を繰り返し５〜６分程度行なえば血行の促進が良くなる。また、連結軸３ａ連結軸（取付け自在）３ｂは左右フレ−ム９の巾止め役も兼ね、多目的な使用ができる運動器具である。【選択図】図２
2008126051.tif 000002
【特許請求の範囲】
【請求項１】
運動者５の背中にマット７を敷き固定フレ−ム１ａを配置し、可動軸２で接続した可動フレ−ム１ｂに連結軸取付穴４が数ヶ所設けてあり、そこに、連結軸（取外し自在）３ｂを取付けパット８を当てて首部、又は、膝裏を乗せ握り部６を腹部方向に引く・押すの振り動作を繰り返すことを特徴とする多目的運動器具。
【請求項２】
請求項１記載の多目的運動器具において、可動フレ−ム１ｂは弾性材料でＵ字型パイプ及び帯金状に成形した左右フレ−ム９は、可動軸２と連結軸３ａ・連結軸（取外し自在）３ｂで接続しダブルＵ字型のフレ−ムに成形したことを特徴とする多目的運動器具。
【請求項３】
運動者５の後頭部より顎廻りに頸髄吊り帯１０を取付け連結軸（取外し自在）３ｂに引っ掛けて握り部６を振り動作することを特徴とする多目的運動器具。
【発明の詳細な説明】
【技術分野】
【０００１】  仰向けになって寝た状態でＵ字型パイプ器具を使って、上半身の首部・背柱等を、また、下半身の腹部・大股部を牽引矯正する。
【背景技術】
【０００２】  従来の首部・背柱を伸ばす器具は、図９に示すよう、整形外科などで使用される首部牽引器であって、運動者５に頸髄吊り帯１を取付け滑車２を経てワイヤ−ロ−プ３で首部牽引器本体４が自動牽引する首部リハビリ器として類似している。また、図１０に示すよう、ア−チ板１に運動者２が背中をア−チ板１側に仰向けになって寝た状態で大きく背伸びするような姿勢を繰リ返し行う運動器具でもある。
【発明の開示】
【発明が解決しようとする課題】
【０００３】  以上の技術によれば、運動者が行う事は簡単ではあるが、他にも変化ある運動ができるよう。また、片付けのスペ−スが多く、持ち運びも容易でない、そこで分解組立が解決できるよう、パイプ等で軽量且つ、ワンタッチで組立可能とした。
【課題を解決するための手段】
【０００４】  運動者５が仰向けになって寝た状態で運動しょうとする背中に固定フレ−ム１ａを配置し、可動軸２で接続した可動フレーム１ｂは連結軸取付穴４に連結軸（取外し自在）３ｂを取付け、そこに首・膝裏を乗せるパット８を当てる。固定フレーム１ａ上の運動者５が仰向けになって寝た状態でマット７を敷き運動しやすくする。図１・２のように握り部６を掴み、腹部方向に引き・押すの動作を繰り返し行なう。また、運動に応じて連結軸（取外し自在）３ｂは自在に位置変更することで、好みに合った調整ができる多目的運動器具。
【発明の効果】
【０００５】  Ｕ字型パイプをダブルに形成し運動者５の両脇に左右フレ−ム９を設置し、可動フレ−ム１ｂに連結軸取付穴４を数ヶ所設けその運動に合った箇所に連結軸（取外し自在）３ｂを取付け自由な運動手段を選択して行う事が手軽にできる器具。
【発明を実施するための最良の形態】
【０００６】  図７に示すＵ字型パイプをダブルで形成した運動器具を使って、図１・２に示すよう可動フレ−ム１ｂを頭部へ配置し運動者５の背中に固定フレ−ム１ａを設置、可動軸２を支点とした可動フレ−ム１ｂ先端の握り部６を掴み腹部に引けば、首部・背柱が丸みとなり背筋が伸び腹部に適度な圧迫感を得られる。この運動を５〜６分程度繰り返して行なえば血行の促進が計られる。更に、可動軸２と連結軸３ａ・連結軸（取外し自在）３ｂは左右フレ−ム９の巾止め役も兼ねる。図３・４では、下半身にも同様な働きが見られる。図５・６に示すよう、運動者５の好みにより連結軸取付穴４に連結軸（取外し自在）３ｂを取付け、頸髄吊り帯１０を吊り下げ仰向けになって寝た状態で運動者５の後頭部と顎廻りに取付け牽引すれば、首の骨・背柱が適度に伸ばされ、曲がったり・圧迫されたり・ずれたりしている箇所を、矯正整形し８対頸神経に刺激を与え体のバランスを整える事もできる。前記で述べたように多目的な使用ができる運動器具である。
【実施形態の効果】
【０００７】  運動者が図１・２のように楽な姿勢で仰向けになって寝た状態で上半身の首筋・背筋肩筋等を引く・押すの振り運動を適度に繰り返し、肩凝りを和らげるなどを多目的に使用できる。また、図３・４に示すよう、下半身の使用でも腹筋・太股部筋も同様な調整ができ年令に関係なく使用できる。
【他の実施形態】
【０００８】  運動者５の好みにより多目的に使用ができる器具である。図１・２では上半身に関係する筋肉・関節等を、下半身に至っても図３・４に示す筋肉・関節など、主なる運動を行なうことができる。それ以外でも図５・６は頸髄吊り帯１０で運動者５が握り部６を掴み、腹部方向へ引けば頸髄部の８対頸神経が適度に刺激され、上半身の筋肉の張り・関節の働きなどを正常に戻し多くのリハビリ運動を行う事ができる。
【図面の簡単な説明】
【０００９】
【図１】この発明の一実施形態を示す上半身使用時の作動前外観側面図である。
【図２】この発明の一実施形態を示す上半身使用時の作動後外観側面図である。
【図３】この発明の一実施形態を示す下半身使用時の作動前外観側面図である。
【図４】この発明の一実施形態を示す下半身使用時の作動後外観側面図である。
【図５】この発明の一実施形態を示す首部牽引使用時の作動前外観側面図である。
【図６】この発明の一実施形態を示す首部牽引使用時の作動後外観側面図である。
【図７】この発明の一実施形態を示す斜視図である。
【図８】この発明の一実施形態を示す頸髄吊り帯の外観側面図である。
【図９】従来の技術を示す首部牽引器による実施形態の外観側面図である。
【図１０】従来の技術を示すア−チ型運動器具実施形態の外観側面図である。
【符号の説明】
【図１・２・３・４・５・６・７】
１ａ  固定フレ−ム        ３ｂ  連結軸（取外し自在）    ７  マット
１ｂ  可動フレ−ム        ４  連結軸取付穴              ８  パット
２  可動軸                ５  運動者                    ９  左右フレ−ム
３ａ  連結軸              ６  握り部                    １０  頸髄吊り帯
【図８】
１  フック    ２  マジックバンド    ３  連結軸（取外し自在）    ４  運動者
【図９】
１  頸髄吊り帯            ２  滑車                      ３  ワイヤ−ロ−プ
４  首部牽引器本体        ５  運動者
【図１０】
１  ア−チ板              ２  運動者
【図１】
2008126051.tif 000003
【図２】
2008126051.tif 000004
【図３】
2008126051.tif 000005
【図４】
2008126051.tif 000006
【図５】
2008126051.tif 000007
【図６】
2008126051.tif 000008
【図７】
2008126051.tif 000009
【図８】
2008126051.tif 000010
【図９】
2008126051.tif 000011
【図１０】
2008126051.tif 000012